(57)【要約】      （修正有）【課題】強度及び安全性にすぐれカスタム化が可能なドアパネル及び框を提供する。【解決手段】ドアパネルは、前側ドア外板１０３及び後ろ側ドア外板１０４が少なくとも部分的に２つの框を挟むとともに、２つの框と共に、充填材を注入するための内部の範囲を定める、本体を含む。框のうちの少なくとも１つは、ドアに機械的強度を提供するとともに、ドア付属部品を設置するための土台を提供するために実質的に本体の長さ全体に沿って延在する区画された中空内部１０９を有する中空構造１０８を含む。【選択図】図２
0003215560.tif 000002
【実用新案登録請求の範囲】
【請求項１】
前側ドア外板及び後ろ側ドア外板を有する本体であって、該前側ドア外板及び該後ろ側ドア外板は少なくとも部分的に２つの框を挟むとともに、該２つの框と共に、充填材を注入するための内部の範囲を定める、本体、
を含むドアパネルであって、
前記框のうちの少なくとも１つは、ドアに機械的強度を提供するとともに、ドア付属部品を設置するための土台を提供するために実質的に前記本体の長さ全体に沿って延在する区画された中空内部を有する中空構造を含む、ドアパネル。
【請求項２】
前記中空構造は前記框の長さ全体で延在する細長いリブによって区画されている、請求項１に記載のドアパネル。
【請求項３】
前記中空構造はニス塗装が施された部分と隣接し、該ニス塗装が施された部分は縦方向が前記本体の長さ全体に沿って延在し、横方向が前記前側ドア外板及び前記後ろ側ドア外板を越えて延在する、請求項１に記載のドアパネル。
【請求項４】
前記前側ドア外板及び前記後ろ側ドア外板は、それぞれ係合手段を通じて前記框の外面と係合する、請求項１に記載のドアパネル。
【請求項５】
前記係合手段は、前記框の外面に設けられる雌部材と係合するために前記前側ドア外板及び前記後ろ側ドア外板からそれぞれ延びた雄部材を含む、請求項４に記載のドアパネル。
【請求項６】
前記雌部材は２つの傾斜した壁の間で定義される傾斜した溝の形態であり、前記傾斜した壁のうちの一方は前記雄部材に押し付けられて液密係合を形成する、請求項５に記載のドアパネル。
【請求項７】
前記框の一部は、前記ドアパネルの幅全体を調節するために切り取られ、前記框の残りの部分はさらなる框によって裏打ちされている、請求項１に記載のドアパネル。
【請求項８】
前記さらなる框は接着剤により前記残りの部分に固定されている、請求項７に記載のドアパネル。
【請求項９】
前記さらなる框は裏側を有する本体を含み、該裏側からは細長部分が延びている、請求項７に記載のドアパネル。
【請求項１０】
前記細長部分は２つの傾斜した裏側部分に挟まれている、請求項９に記載のドアパネル。
【請求項１１】
前記傾斜した裏側部分は、該部分に塗布される接着剤を収容するために前記残りの部分と共に間隙を形成するために前記細長部分に向かって先細りになっている、請求項１０に記載のドアパネル。
【請求項１２】
前記ニス塗装が施された部分は１つの部品として前記区画された中空内部と一体的に形成されている、請求項３に記載のドアパネル。
【請求項１３】
前記ニス塗装が施された部分は、前記ニス塗装が施された部分の全体的な厚さを小さくするために内部空隙を含む、請求項１２に記載のドアパネル。
【請求項１４】
前記区画された中空内部のそれぞれの区画に挿入するための第１の組の突起を備えるレールをさらに含む、請求項１に記載のドアパネル。
【請求項１５】
前記レールは前記内部に挿入されるとともに２つの框と嵌合する第２の組の突起を含む、請求項１４に記載のドアパネル。
【請求項１６】
区画された中空内部を有する中空構造と、該中空構造と共に設けられるニス塗装が施された部分とを含むドア框であって、前記区画された中空内部及び前記ニス塗装が施された部分は１つの部品として一体的に形成されている、ドア框。
【請求項１７】
前記中空構造及び前記ニス塗装が施された部分は押出成形により同時に形成されている、請求項１６に記載のドア框。
【請求項１８】
前記区画された中空内部は、前記区画された中空内部の長さに沿って延在するとともに複数の平行なチャネルを定義する２つ以上のリブを含む、請求項１６に記載のドア框。
【考案の詳細な説明】
【技術分野】
【０００１】
本考案はカスタム化可能なドアパネル及びその框（stile）、例えば、限定されないが、特に形状及びサイズがカスタム化可能な、框を備えたドアパネルに関する。
【背景技術】
【０００２】
木製ドアは美しく且つ丈夫であるが、金属又はプラスチック製のドアに比べて状態を維持する必要があるという問題がある。木材は経時的に反りや腐食を起こし易い傾向にある。木製ドアを有することの全体的なコストには維持費が加わる。
【０００３】
Ｕ−ＰＶＣ製ドアの多くの利点により、Ｕ−ＰＶＣ製ドアは家や商業ビルのための好適な選択肢になった。それらは手頃で且つ耐久性のあるドアのための良好な解決手段であることを証明している。しかしながら、Ｕ−ＰＶＣ製ドアの主要な欠点の１つは強度及び安全性の問題である。それらは木製ドアほど耐久性や強度がない。また、製造段階で形状及びサイズが予め決められており、変更することは意図していない。
【考案の概要】
【考案が解決しようとする課題】
【０００４】
本考案は、新規な又は改善されたカスタム化可能なドアパネル及び框を提供することにより、実質的なコストの増加なしに上記の欠点をより高い強度及び安全性のために解消するか又は少なくとも緩和することを目的とする。
【課題を解決するための手段】
【０００５】
本考案によれば、本考案の第１の態様で前側ドア外板（door  skin）及び後ろ側ドア外板を有する本体であって、該前側ドア外板及び該後ろ側ドア外板は少なくとも部分的に２つの框を挟むとともに、該２つの框と共に、充填材を注入するための内部の範囲を定める、本体、を含むドアパネルであって、前記框のうちの少なくとも１つは、ドアに機械的強度を提供するとともに、ドア付属部品（door  fittings）を設置するための土台を提供するために実質的に前記本体の長さ全体に沿って延在する区画された中空内部（partitioned  hollow  structure）を有する中空構造を含む、ドアパネルが提供される。
【０００６】
任意で、前記中空構造は前記框の長さ全体に沿って延在する細長いリブによって区画されている。
【０００７】
任意で、前記中空構造はニス塗装が施された部分（varnished  portion）と隣接し、該ニス塗装が施された部分は縦方向（lengthwise）が前記本体の長さ全体に沿って延在し、横方向（widthwise）が前記前側ドア外板及び前記後ろ側ドア外板を越えて延在する。
【０００８】
任意で、前記前側ドア外板及び前記後ろ側ドア外板は、それぞれ係合手段を通じて前記框の外面と係合する。
【０００９】
任意で、前記係合手段は、前記框の外面に設けられる雌部材と係合するために前記前側ドア外板及び前記後ろ側ドア外板からそれぞれ延びた雄部材を含む。
【００１０】
任意で、前記雌部材は２つの傾斜した壁の間で定義される傾斜した溝の形態であり、前記傾斜した壁のうちの一方は前記雄部材に押し付けられて液密係合を形成する。
【００１１】
任意で、前記框の一部は、前記ドアパネルの幅全体を調節するために切り取られ（trimmed）、前記框の残りの部分はさらなる框によって裏打ちされている（lined）。
【００１２】
任意で、前記さらなる框は接着剤により前記残りの部分に固定されている。
【００１３】
任意で、前記さらなる框は裏側を有する本体を含み、該裏側からは細長部分（stem  portion）が延びている。
【００１４】
任意で、前記細長部分は２つの傾斜した裏側部分に挟まれている。
【００１５】
任意で、前記傾斜した裏側部分は、該部分に塗布される接着剤を収容するために前記残りの部分と共に間隙を形成するために前記細長部分に向かって先細りになっている。
【００１６】
任意で、前記ニス塗装が施された部分は１つの部品として前記区画された中空内部と一体的に形成されている。
【００１７】
任意で、前記ニス塗装が施された部分は、前記ニス塗装が施された部分の全体的な厚さを小さくするために内部空隙を含む。
【００１８】
任意で、前記ドアパネルは前記区画された中空内部のそれぞれの区画に挿入するための第１の組の突起を備えるレールをさらに含む。
【００１９】
任意で、前記レールは前記内部に挿入されるとともに２つの框と嵌合する第２の組の突起を含む。
【００２０】
本考案の第２の態様では区画された中空内部を有する中空構造と、該中空構造と共に設けられるニス塗装が施された部分とを含む框であって、前記区画された中空内部及び前記ニス塗装が施された部分は１つの部品として一体的に形成されている、框が提供される。
【００２１】
任意で、前記中空構造及び前記ニス塗装が施された部分は押出成形により同時に形成されている。
【００２２】
任意で、前記区画された中空内部は、前記内部の長さに沿って延在するとともに複数の平行なチャネルを定義する２つ以上のリブを含む。
【図面の簡単な説明】
【００２３】
添付の図面を参照しながら、本考案を一例として以下でより具体的に説明する。
【図１】図１は、従来のドアパネルの長さに沿った断面図である。
【図２】図２は、本考案に係るドアパネルの長さに沿った断面図である。
【図３】図３は、本考案に係る框への外板の取り付けを示す、図２の断面図である。
【図４Ａ】図４Ａは、ドアロック及びドアヒンジが組み付けられた状態の図２のドアパネルの断面図を示す。
【図４Ｂ】図４Ｂは、ドアロック及びドアヒンジが組み付けられた状態の図２のドアパネルの断面図を示す。
【図５】図５は、右側及び左側が部分的に切り取られた右側及び左側に框がさらに挿入された状態の図２のドアパネルの断面図である。
【図６】図２のドアパネルに組み付けられたレールを示す説明図である。
【考案を実施するための形態】
【００２４】
図１を参照して、内部１５の範囲を定めるドア外板１１及び１２と框１４とを備えるドアパネル１０を示す。内部１５は中空部１５を含む。中空部にはＰＵフォーム等の充填材が注入される。ドア付属部品を設置するための土台を提供するために、右側及び左側の框１４に隣接して木製ブロックが置かれている。
【００２５】
図２〜図６は、本考案に係るドアパネル１００及び框１０１の２つの実施形態を示す。ドアパネルの本体は、前側外板１０３及び後ろ側外板１０１が一対の框１０１を挟むことによって形成されている。ドアパネル１００の開いた端部を閉じるために上側及び下側レール４００が設けられている。それらは、ＰＵフォーム等の充填材が充填される中空内部１０９を共に定義する。框１０１及びレール４００は剛性を高めるとともに、ドアパネル１００の機械的強度を向上させる。
【００２６】
本考案の一実施形態において、２つの框１０１が第１の外板１０３及び後ろ側外板１０４の間に置かれ、各框１０１は管状部（canaliculated  portion）１０８を有する。管状部１０８は、ドアに機械的強度を提供するためにドアパネル１００の長さ全体に実質的に沿って広がる区画された中空状内部１０７を有する中空構造である。框１０１全体はドア付属部品を設置するための土台も提供する。ドア付属部品は取っ手、ロック及びヒンジを含む。各框１０１はドアパネル１００に魅力的な外観を与えるニス塗装が施された外端部分１０２をさらに含む。ニス塗装が施された部分１０２は露出されるように外板１０３及び１０４を越えて延在する。管状部１０８及びニス塗装が施された部分１０２は押し出し引き抜き成形により１つのステップで同時に形成される。そのため、それらは１つの部品として一体的に形成される。
【００２７】
中空構造１０８は内部の長さ全体に沿って延びる複数の細長いリブ１０５によって区画されている。リブ１０５は、内部の長さ全体に沿って互いに平行に延びるチャネル１０７の形の複数の細長い空間を定義する。これらのリブは取っ手、ロック及びヒンジ等のドア付属部品を設置するための土台を提供する。
【００２８】
框１０１と外板１０３及び１０４との間の相対位置は係合手段１０６／１０３Ａ／１０４Ａにより固定される。係合手段１０６／１０３Ａ／１０４Ａは雄係合部材及び雌係合部材１０６／１０３Ａ／１０４Ａを含む。雄係合部材は外板１０３及び１０４のそれぞれの一端から延びたフック１０３Ａ／１０４Ａの形態である。雌係合部材は框１０１の前側及び後ろ側のそれぞれに設けられた溝１０６の形態である。
【００２９】
図３を参照して、溝１０６は傾斜している。より具体的には、溝１０６の平行な側壁は、ドアパネル１００の内部１０９からさらに離れた側壁１０６Ａの上部がフック１０３Ａ又は１０４Ａの上側の角を液密的に押し付けられて完全な仕上げを提供するとともに、液体が入るか又は液体がそこを通って出て行くのを防止するために、仮想の垂直線Ｘに対して約５°〜１０°の角度で傾斜している。溝１０６の壁とフック１０３Ａ又は１０４Ａの残りの部分との間には間隙が形成される。接着剤は間隙内で保持され、接着剤の余剰部分は外板１０３又は１０４と框１０１との間の任意の空間内に入れられる。溝１０６の側壁１０６Ａとフック１０３Ａ又は１０４Ａの角部とがぴったりと嵌合し合うことで接着剤の余剰部分がそこを通じて溝１０６から離れるのを防止する。これは全体的に汚れがなく（clean）滑らかなドアパネル１０１の仕上がりに貢献する。
【００３０】
框１０１は、図４Ａ及び図４Ｂに示すように、従来のドア１９における取っ手、ドアロック及びヒンジを組み付けるためのサポートを提供するための木製ブロックに取って代わるものである。リブ１０５を切り開くことにより、ほぞ穴を設けるための開口が形成される。固定のために、ドアヒンジの接続プレートをニス塗装を施した部分１０２及び隣接するリブ１０５に直接ネジ留めすることができる。
【００３１】
図５を参照して、本考案のさらなる実施形態を示す。ドアパネル１００の全体的な幅を調節するために、框１０１は外板１０３及び１０４と共に部分的に切り取られ（trimmed）、その結果として未加工の（raw）開いた端部がもたらされる。開いた端部はさらに別の框３００によって閉じられる。框３００は部分的に切り取られた框１０１に接着剤により取り付け可能なＴ字状の別の部品である。細長部分（stem）３０２は框３００の裏側３０１から突出する。図５に示すように、框３００は、細長部分３０２の方に向かって先細りになった２つの裏側３０１によって挟まれるとともに、裏側は細長部分３０２の側壁とともに約４０°の角度を形成する。傾斜した裏側のそれぞれの外側部分は外板１０３Ａ及び１０４のそれぞれの自由端に押し付けられて液密係合を形成する。傾斜した表面の残りの部分と框１０１との間には接着剤の余剰部分を収容するために間隙が形成される。液密係合は、全体的に汚れがなく滑らかなドアパネル１００の仕上がりを維持するために接着剤がそこを通過するのを防止する。
【００３２】
框１０１のニス塗装を施した部分１０２には空隙１０５Ａが形成されていることに注目されたい。空隙１０５Ａは、框１０１の冷却が不均一であることに起因する任意の歪曲を緩和するのに有用である。また、空隙１０５Ａは、外観に影響を及ぼすことなくニス塗装を施した部分の厚さを小さくして押出成形後の部材１０１のより均一な冷却を可能にする。
【００３３】
図６を参照して、框１０１／３００及び外板が所定の位置に置かれた後でドアパネル１００に上側レール及び下側レール４００が組み付けられる。レール４００は２組の突起４００Ａ及び４００Ｂを含む。第１の組の突起４００Ａはレール４００の右側端部及び左側端部に隣接して設けられ、框１０１のリブ１０５によって定義されるチャネル１０７内に挿入される寸法を有する。第２の組の突起４００Ｂは、右側及び左側の框１０１と前側外板１０３及び後ろ側外板１０４によって定義される内部１０９内に延びた一体構造であることが好ましい。レール４００は突起４００Ａ及び／又は４００Ｂに塗布された接着剤により所定の位置に固定される。突起４００Ａのそれぞれは尖った端部を有さない円錐状である。突起４００Ａは挿入が容易になるように自由端のほうに向かって先細りになっており、チャネル１０７を定義するリブ１０５によってガイドされる。框１０１／３００、外板１０３及び１０４ならびにレール４００が所定の位置に置かれると、充填材が注入されて内部１０９が充填される。硬化されたフォームによって外板１０３及び１０４、框１０１ならびにレール４００が共に固定される。
【００３４】
本考案は一例にすぎず、当業者であれば、添付の実用新案登録請求の範囲で特定される本考案の範囲から逸脱することなく説明した実施形態に様々な他の修正及び／又は変更を加え得る。
【符号の説明】
【００３５】
１０  ドアパネル
１１、１２  ドア外板
１４  框
１５  内部
１００  ドアパネル
１０３  前側外板
１０３Ａ  係合手段
１０４  後ろ側外板
１０４Ａ  係合手段
１０５  リブ
１０６  係合手段
１０７  チャネル
１０８  中空構造
１０９  中空内部
３００  框
３０１  裏側
３０２  細長部分
４００  レール
４００Ａ  第１の組の突起
４００Ｂ  第２の組の突起
【図１】
0003215560.tif 000003
【図２】
0003215560.tif 000004
【図３】
0003215560.tif 000005
【図４Ａ】
0003215560.tif 000006
【図４Ｂ】
0003215560.tif 000007
【図５】
0003215560.tif 000008
【図６】
0003215560.tif 000009